(57)【要約】【課題】  透明な遊技盤において、斬新な電飾効果を得る。【解決手段】遊技盤１は、発光によって図柄を表示するＥＬ素子２２を基板１ａの内部に配したので、基板１ａ（遊技盤１）の背後に液晶ディスプレイ等を配置した場合には、ＥＬ素子２２と背後の液晶ディスプレイ等との一方を主制御装置によって制御される特別図柄表示装置とし、他方を演出表示制御装置によって制御される演出表示装置とできる。この場合、ＥＬ素子２２の表示が背後の液晶ディスプレイ等の表示に重なっても、自発光による表示であるから十分に目立ち、遊技者に存在を分からせることができる。【選択図】  図１
2006158590.tif 000002
【特許請求の範囲】
【請求項１】
透光性で前面の一部又は全部が遊技領域とされる剛性の基板と、前記基板に装着された遊技盤部品とを備える遊技盤において、
発光によって図柄を表示する発光表示手段を前記基板の内部に配した
ことを特徴とする遊技盤。
【請求項２】
請求項１記載の遊技盤において、
前記発光表示手段は、透明な発光素子と、該発光素子に給電するための透明配線を含んで構成される
ことを特徴とする遊技盤。
【請求項３】
請求項２記載の遊技盤において、
前記発光素子は、透明エレクトロルミネッセンス素子（ＥＬ素子）又は透明ＬＥＤである
ことを特徴とする遊技盤。
【発明の詳細な説明】
【技術分野】
【０００１】
本発明は、弾球遊技機の技術分野に属し、詳しくは弾球遊技機の遊技盤に関する。
【背景技術】
【０００２】
透光性の合成樹脂製で前面の一部又は全部が遊技領域とされる基板と、前記基板に装着された遊技盤部品とを備える遊技盤と、その遊技盤の背後に配置されたディスプレイ装置（例えば液晶ディスプレイ）とを有するパチンコ機が特開平７−１８５０７４号公報（特許文献１）に開示されている。また、そのようなパチンコ機が実用化されてもいる。
【特許文献１】特開平７−１８５０７４号公報
【発明の開示】
【発明が解決しようとする課題】
【０００３】
パチンコ機などの弾球遊技機においては、図柄表示装置に大当たりの特別図柄が表示されると特別遊技を行う（大当たりになる）ものが主流であるが、大当たり抽選を行う主制御装置がその図柄表示装置（特別図柄表示装置）を直接制御する構成にすることが要求されている。
【０００４】
また、この場合、特別図柄表示装置とは別の図柄表示装置（演出表示装置）にて図柄（演出図柄）を表示することは許されるが、主制御装置のＣＰＵに機能制限があることから、動画などの複雑な表示を行うことが多い演出表示装置は主制御装置とは別の制御装置（演出表示制御装置）によって制御するのが普通である。
【０００５】
つまり、主制御装置によって制御される特別図柄表示装置と演出表示制御装置によって制御される演出表示装置との、２つの表示装置を備えるのが一般的である。
ところで、特許文献１のように透光性の遊技盤の背後にディスプレイを配した構成であると、例えば遊技盤の背後に演出表示装置にするディスプレイと、特別図柄表示装置にするディスプレイとを配した構成などが必要になる。
【課題を解決するための手段】
【０００６】
請求項１記載の遊技盤は、
透光性で前面の一部又は全部が遊技領域とされる剛性の基板と、前記基板に装着された遊技盤部品とを備える遊技盤において、
発光によって図柄を表示する発光表示手段を前記基板の内部に配した
ことを特徴とする。
【０００７】
遊技盤は、本体となる基板に遊技盤部品が装着され、その前面の一部又は全部が遊技領域とされる。
基板の材料となる透光性の合成樹脂としてはアクリル、ポリカーボネート等が例示されるが、これらに限るわけではなく、透光性且つ剛性という条件を満たすなら特に制限はない。なお、ここで「剛性」というのは、遊技盤として普通に使用する限りは変形しないということである。また、「透光性」であればよいので、透明である必要はなく、透光性を損なわなければ染料や顔料で着色されていてもよいし、着色したフィルム等が積層されていてもよい。
【０００８】
遊技盤部品には入賞装置やガイドレールのように弾球遊技を行うためには必須となる部品（必須部品）が含まれるのは当然として、例えば装飾を目的として設置される部品や特定の場所や部品（例えば表示装置）を遊技球から保護するための部品のように、弾球遊技の実行という観点では必須ではない部品（非必須部品）も含まれる。例えば発光表示手段は、これを特別図柄表示装置（大当たりの特別図柄が表示されると遊技状態が変化する）とするなら必須部品となるし、表示内容が遊技に影響しない（例えば演出表示装置としたり、遊技の進行手順などの案内表示を行うだけ）なら非必須部品となる。
【０００９】
請求項１記載の遊技盤は、発光によって図柄を表示する発光表示手段を基板の内部に配したので、基板（遊技盤）の背後に液晶ディスプレイ等を配置するなら、発光表示手段と背後の液晶ディスプレイ等との一方を主制御装置によって制御される特別図柄表示装置とし、他方を演出表示制御装置によって制御される演出表示装置とできる（普通は、背後の液晶ディスプレイ等を演出表示装置とする。）。この場合、発光表示手段の表示が背後の液晶ディスプレイ等の表示に重なっても、自発光による表示であるから十分に目立ち、遊技者に存在を分からせることができる。但し、本発明は遊技盤の背後に液晶ディスプレイ等を配置することを必須（前提）とするわけではない。
【００１０】
しかも、発光表示手段が基板の内部に配されているので、その発光表示は基板そのものが発光しているように見えるから、透光性の基板を採用した利点を充分に活かし得る。
また、発光表示手段が基板の内部に配されているので、基板の背面に不透明ないし半透明のフィルム（例えばハーフミラーフィルム）を張って、或いはアルミニウム等を基板の背面に蒸着して目隠しにすることができる。或いは、基板の背面に反射材を配置して（例えばハーフミラーフィルム、アルミニウム等の蒸着やスパッタリング）、基板の背面を光らせることもできる。遊技盤の背後に液晶ディスプレイ等を配置する場合は、その表示エリア（画面）に対応する部分には上述のフィルムや反射材を配置しなければ（又は対応する部分ではフィルムなどを透明にすれば）よい。
【００１１】
発光表示手段は不透明であってもよいが、発光表示手段からの光で基板そのものが発光していると見せる効果は、発光表示手段が目立たないほど良好となる。すなわち、放射された光は見えるとしても、発光表示手段そのものは遊技者に視認させない方がよい。
【００１２】
そのためには、請求項２記載のように、透明な発光素子と該発光素子に給電するための透明配線を含んで構成することで発光表示手段を透明にでき、これにより請求項１の効果を向上させる。
【００１３】
透明な発光素子としては、請求項３に記載の透明エレクトロルミネッセンス素子（ＥＬ素子）や透明ＬＥＤ（例えば特開２００２−８０２２２号、特開２００４−２２０８８８号等）が例示される。
【発明を実施するための最良の形態】
【００１４】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示す外観形状をしている。
【００１５】
この遊技盤１の基板１ａは透明な合成樹脂（本実施例ではアクリル樹脂）製で、板厚は１０ｍｍのものを使用しており、遊技盤としての剛性は十分にある。
基板１ａにはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００１６】
遊技領域３の中央部には、上部にワープ入口５ａ、中央部の左右にワープ出口５ｂ、下部に演出表示装置５ｃ（表示部は３個の７セグメントＬＥＤ）を備えるセンター役物５が取り付けられており、その下方にはゲート７が配されている。ゲート７の下方には電動チューリップ式の可変入賞装置８が配され、その下方にはアタッカー式の大入賞装置９（図示は大入賞口９ａが開放された状態）が配されている。
【００１７】
センター役物５の横には、ランプ風車１１及び普通入賞口１２がそれぞれ左右で対をなして配されている。また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００１８】
そして、遊技領域３の最下部には、遊技領域３を通過してきた遊技球をアウト球として排出するためのアウト穴４が設けられている。
また、左側のランプ風車１１の斜め下、普通入賞口１２の斜め上には、発光表示手段となるＥＬ素子２２が配置され、これにつながる透明電極２４ａ、２８ａが基板１ａの外周に達している。これらＥＬ素子２２及び透明電極２４ａ、２８ａは基板１ａの内部に埋設されているが、その詳細は後述する。
【００１９】
なお、遊技領域３には周知の障害釘や風車も配されているが、これらの図示と説明は省略する。
遊技盤部品であるセンター役物５、ゲート７、可変入賞装置８、大入賞装置９、ランプ風車１１、普通入賞口１２及びサイド飾り１３を基板１ａに装着するには、基板１ａに設けられた装着孔１ｂを必要とする。図１には左のサイド飾り１３のための装着孔１ｂを図示してあるが、装着孔１ｂの形状（輪郭）は各遊技盤部品に応じて異なる。但し、基板１ａを貫通している点は全ての装着孔１ｂに共通している。
【００２０】
図２に示すように、基板１ａには溝状の凹陥部２０が設けられており、凹陥部２０には透明な合成樹脂（本実施例ではアクリル樹脂）製の嵌合部材２１が嵌合されている。なお、図２は層構造を説明するための模式図であり寸法は実際のものとは異なっている。
【００２１】
嵌合部材２１の上面（凹陥部２０の溝底に対面する面）には透明な合成樹脂（本実施例ではポリカーボネート）製のフィルムである素子基板２３が接着されており、上述のＥＬ素子２２及び透明配線２４ａ、２８ａはこの素子基板２３上に設けられている。詳しくは、図２（ｂ）に示すように、ＥＬ素子２２は、素子基板２３上に、第１電極２４、第１絶縁層２５、発光層（ＥＬ材料）２６、第２絶縁層２７、第２電極２８を順に積層形成して形成されている。第１電極２４及び第２電極２８は例えばＩＴＯの薄膜で透明、例えば無機ＥＬ材で形成された発光層２６も薄膜で透明、第１絶縁層２５及び第２絶縁層２７も薄膜で透明であり、ＥＬ素子２２は全体として透明である。尚、図１にはＥＬ素子２２を図示してあるが、発光していないときは透明で見えない。
【００２２】
第１電極２４及び第２電極２８はそれぞれ多数本が併走状に配線され、また第１電極２４と第２電極２８の配線方向は互いに直交するので、第１電極２４と第２電極２８との間に電圧が印加されると、それらの交差点部分（実際には交差していない）の発光層（ＥＬ材料）２６が発光する。
【００２３】
そのために、第１電極２４及び第２電極２８は、素子基板２３上に透明配線２４ａ、２８ａとして延出されており（図１には複数の配線２４ａ、２８ａが並行状に配置されている領域を図示し、図２（ｂ）では第１電極２４の透明配線２４ａだけが示されている。）、透明配線２４ａ、２８ａの端部は、基板１ａの外周部において導電性の接着剤２９によりフレキシブル配線基板３０に結ばれている。
【００２４】
そのフレキシブル配線基板３０は、基板１ａの外周から引き出されて図示省略のＥＬ駆動回路に接続される。そのＥＬ駆動回路が第１電極２４、第２電極２８間の電圧印加を制御することでＥＬ素子２２の発光を制御する。
【００２５】
遊技盤１がパチンコ機に組み付けられた状態では、ＥＬ駆動回路はパチンコ機の主制御装置によって制御され（又は主制御装置の一部として組み込まれていて）、ＥＬ素子２２の発光は主制御装置によって直接的に制御される。
【００２６】
主制御装置はパチンコ機の各種動作を制御するのであるが、遊技盤１の関連では主に可変入賞装置８の開閉と大入賞装置９の開閉を制御する。
可変入賞装置８に関しては、遊技球がゲート７を通過すると（その通過検出信号が入力されると）抽選を行い、これが当たりであると可変入賞装置８を開放させる。その可変入賞装置８の開放時間が設定時間になるか、開放された可変入賞装置８に規定数の遊技球が入賞すれば、この開放を終了させる。
【００２７】
主制御装置は、可変入賞装置８に入賞すると（その入賞検出信号が入力されると）、大当たり抽選を行い、ＥＬ素子２２を発光させて特別図柄の変動表示を行わせてから、大当たり抽選の結果を示す特別図柄（大当たり図柄又は外れ図柄）をＥＬ素子２２に確定表示させる。図１に示す通り、ＥＬ素子２２は７セグメント形式であり、例えば「７」が大当たり図柄、それ以外が外れ図柄とされる。
【００２８】
また、その特別図柄の変動表示の開始に伴って、大当たり抽選の結果と特別図柄の変動時間のデータを演出表示制御装置等の副制御装置に送信する。
これらのデータを受信した演出表示制御装置は演出表示装置５ｃを制御して図柄の変動表示を行わせ、ＥＬ素子２２における特別図柄の確定表示とほぼ同時に演出表示装置５ｃでも大当たり抽選の結果に対応した図柄を確定表示させる。
【００２９】
そして、大当たり抽選が当たりのときは、主制御装置は、大当たり図柄の確定表示後に大当たり遊技を開始して、大入賞装置９の開放、閉鎖を行う。
この遊技盤１は、発光によって図柄を表示するＥＬ素子２２を基板１ａの内部に配したので、ＥＬ素子２２による発光表示は基板１ａそのものが発光しているように見えるから、透光性の基板１ａを採用した利点を充分に活かし得る。
【００３０】
しかも、透明なＥＬ素子２２とＥＬ素子２２に給電するための透明配線２４ａ、２８ａがともに透明であるから、上記の効果は一層優れたものになる。
また、ＥＬ素子２２が基板１ａの内部に配されているので、基板１ａの背面に不透明ないし半透明のフィルム（例えばハーフミラーフィルム）を張って、或いはアルミニウム等を基板１ａの背面に蒸着して目隠しにすることができる。或いは、基板１ａの背面に反射材を配置して（例えばハーフミラーフィルム、アルミニウム等の蒸着やスパッタリング）、基板１ａの背面を光らせることもできる。
［変形例］
実施例の遊技盤１は基板１ａが透明であるから、基板１ａ（遊技盤１）の背後に液晶ディスプレイ等を配置して、これを演出表示装置とするのにも適している。その一例を図３に示す。
【００３１】
図３の例では、センター役物５が撤去されて（装着孔も開けられてはおらず）、代わりにリブ状の表示輪郭１０が設けられている。
そして、遊技盤１の背後には演出表示装置（例えば液晶ディスプレイ）が配されて、その表示（図中、「８８８」で示す。）が基板１ａを通して表示輪郭１０の内側に見える。
【００３２】
なお、演出表示装置の画面サイズは表示輪郭１０に合わせる必要はなく、例えば遊技領域３に対応するサイズ、基板１ａの輪郭に対応するサイズといった大型にできる。そうした場合、表示輪郭１０の外でも演出表示が行われ、これが基板１ａを通して見える。
【００３３】
この遊技盤１は、発光によって図柄を表示するＥＬ素子２２を基板１ａの内部に配したので、基板１ａ（遊技盤１）の背後に液晶ディスプレイ等を配置した場合には、ＥＬ素子２２と背後の液晶ディスプレイ等との一方を主制御装置によって制御される特別図柄表示装置とし、他方を演出表示制御装置によって制御される演出表示装置とできる。この場合、ＥＬ素子２２の表示が背後の液晶ディスプレイ等の表示に重なっても、自発光による表示であるから十分に目立ち、遊技者に存在を分からせることができる。
［その他］
実施例では、透明配線２４ａ、２８ａとフレキシブル配線基板３０との接続を基板１ａの外周部で行っているが、これを装着孔１ｂの内周部で行ってもよい。
【００３４】
また、実施例では透明なＥＬ素子２２を使用しているが、透明ＬＥＤなどの発光素子を用いることもできる。
【図面の簡単な説明】
【００３５】
【図１】実施例の遊技盤の正面図。
【図２】実施例における基板の層構造の説明図であり、（ａ）は基板の断面構造図、（ｂ）はＥＬ素子の断面構造図。
【図３】変形例の遊技盤の正面図。
【符号の説明】
【００３６】
１・・・遊技盤、
１ａ・・・基板、
２２・・・ＥＬ素子、
２４ａ、２８ａ・・・透明配線、。
【図１】
2006158590.tif 000003
【図２】
2006158590.tif 000004
【図３】
2006158590.tif 000005